(57)【要約】【課題】異なる大きさや形状のＣＦカードの抜け出しを防止する。【解決手段】携帯機器１７の実装スロット２１の側部近傍に固定具差込口２２を設けるとともに、固定バンド２４の一端を取り付け、固定バンド２４の他端に固定バンド２４の長さ調整可能に固定具２５を接続し、固定具２５には回動により固定具２５の差込口２２からの抜け出しを防止するロックバー２５ａを一体に突出して設ける。標準サイズのＣＦカードを実装スロット２１に実装した場合には、固定具２５を差込口２２に差し込み、ロックバー２５ａを介して固定具２５を回動するとともに、ＣＦカードの端部にロックバー２５ａを当接させ、標準より長いＣＦカードを実装した場合には、固定具２５を差込口２２に差し込み、ロックバー２５ａを介して固定具２５を回動するとともに、ＣＦカードの端部に固定バンド２４を掛け、その長さを調整する。【選択図】図１
2010049948.tif 000002
【特許請求の範囲】
【請求項１】
携帯機器のＣＦカード実装スロットの一方の側部近傍に固定具を差し込むための固定具差込口を設けるとともに、ＣＦカード実装スロットの他方の側部近傍に固定バンドの一端を取り付け、固定バンドの他端には固定バンドの長さ調整可能に固定具を接続し、固定具にはその回動により固定具の固定具差込口からの抜け出しを防止するロックバーを突出して一体に設け、奥行寸法が標準サイズのＣＦカードをＣＦカード実装スロットに実装した場合には、固定具を固定具差込口に差し込み、ロックバーを介して固定具を固定具差込口に対して回動して固定具の抜け出しを防止するとともに、ロックバーをＣＦカードのＣＦカード実装スロットからの露出端に当接させてＣＦカードを抜け止めし、奥行寸法が標準サイズより大きいＣＦカードをＣＦカード実装スロットに実装した場合には、固定具を固定具差込口に差し込み、ロックバーを介して固定具を固定具差込口に対して回動して固定具の抜け出しを防止するとともに、ＣＦカード実装スロットから突出したＣＦカードの端部に固定バンドを掛け、その長さを調整して固定バンドによりＣＦカードの抜け止めをしたことを特徴とする携帯機器のＣＦカード抜け止め機構。
【請求項２】
前記固定具は、プラスチック製であることを特徴とする請求項１記載の携帯機器のＣＦカード抜け止め機構。
【請求項３】
前記固定バンドは、ゴム製であることを特徴とする請求項１又は２記載の携帯機器のＣＦカード抜け止め機構。
【発明の詳細な説明】
【技術分野】
【０００１】
この発明は、携帯機器における複数の大きさや形状のＣＦカードに対応したＣＦカードの抜け止め機構に関するものである。
【背景技術】
【０００２】
従来の携帯機器において、ＣＦカードやＰＣＭＣＩＡカード等を実装する場合の抜け止め機構は、例えば、図６（ａ），（ｂ）に示すようになっている。図６（ａ）において、１は携帯機器、２は携帯機器１内に設けられたカード支持部、３は携帯機器１内に挿入され、カード支持部２に支持されたＣＦカードである。４は板金を曲げ加工して形成されたＣＦカード３の抜け止め部であり、抜け止め部４は雄ねじ５により携帯機器１に取り付けられ、ＣＦカード３の携帯機器１からの抜け出しを防止している。図６（ｂ）はＣＦカード６に拡張部があり、ＣＦカード６が奥行の長い規格外の形状の場合であり、この場合には２枚以上の板金を折り曲げて抜け止め部７を形成し、この抜け止め部７を雄ねじ８により携帯機器１に取り付け、この抜け止め部７によりＣＦカード６を挟み込み、ＣＦカード６の抜け出しを防止している。
【０００３】
なお、この出願の発明に関連する先行技術文献情報としては次のものがある。
【特許文献１】特開平９−２２３５４２号公報
【発明の開示】
【発明が解決しようとする課題】
【０００４】
ところで、ＣＦカードの規格にはタイプ１とタイプ２の二つの厚さの種類がある。図７（ａ）は矢印９で示す携帯機器１への実装方向の長さが小さく、厚さが薄いタイプ１のＣＦカード１０であり、メモリ等に用いられる。図７（ｂ）はタイプ２のＣＦカード１１であり、矢印９で示す携帯機器１への実装方向の長さが小さく、厚さが厚いものである。又、図７（ｃ）に示すようにタイプ２のＣＦカードに拡張部１２ａを設けたＣＦカード１２もあり、ＣＦカード１２は矢印９で示す携帯機器１への実装方向の長さが大きく、拡張部１２ａの厚さが厚いものであり、携帯電話通信等に用いられる。これらのＣＦカード１０〜１２は板金からなる抜け止め部４，７とこの抜け止め部４，７を携帯機器１に取り付ける雄ねじ５，８とからなる抜け止め機構により、携帯機器１からの抜け出しが防止されており、以下のような問題が生じる。（１）携帯機器１に実装可能なＣＦカードの寸法は抜け止め機構の大きさで決まってしまうため、異なる大きさのＣＦカードには対応し難い。（２）抜け止め機構はスライド距離とねじ止めスペースが必要であり、抜け止め機構の設置にはスペースを必要とする。（３）大きさが異なるＣＦカードに個別に対応するために、材料としての板金の変動費が高くなる。（４）ねじ止めの作業性が悪い。（５）ねじ止めに工具が必要となり、余分な負荷がＣＦカードに加わる恐れがある。（６）ＣＦカードを挟み込んでその抜け出しを防止する場合、挟み込み力により抜け出し防止力が左右され、信頼性が低い。（７）図７（ｄ）に示すようにＣＦカード１３に突起１４やコネクタ１５等がある場合、抜け止め部はそれらを避けて設ける必要があり、実装できるＣＦカードが限定される。なお、１６はコネクタ１５に接続されたケーブルである。
【０００５】
この発明は上記のような課題を解決するために成されたものであり、異なる大きさや形状のＣＦカードの抜け出しを防止することができるとともに、スペースをあまり必要とせず、かつ安価で設置作業性が良く、抜け出し防止の信頼性を高めることができる携帯機器のＣＦカード抜け止め機構を得ることを目的とする。
【課題を解決するための手段】
【０００６】
この発明の請求項１に係る携帯機器のＣＦカード抜け止め機構は、携帯機器のＣＦカード実装スロットの一方の側部近傍に固定具を差し込むための固定具差込口を設けるとともに、ＣＦカード実装スロットの他方の側部近傍に固定バンドの一端を取り付け、固定バンドの他端には固定バンドの長さ調整可能に固定具を接続し、固定具にはその回動により固定具の固定具差込口からの抜け出しを防止するロックバーを突出して一体に設け、奥行寸法が標準サイズのＣＦカードをＣＦカード実装スロットに実装した場合には、固定具を固定具差込口に差し込み、ロックバーを介して固定具を固定具差込口に対して回動して固定具の抜け出しを防止するとともに、ロックバーをＣＦカードのＣＦカード実装スロットからの露出端に当接させてＣＦカードを抜け止めし、奥行寸法が標準サイズより大きいＣＦカードをＣＦカード実装スロットに実装した場合には、固定具を固定具差込口に差し込み、ロックバーを介して固定具を固定具差込口に対して回動して固定具の抜け出しを防止するとともに、ＣＦカード実装スロットから突出したＣＦカードの端部に固定バンドを掛け、その長さを調整して固定バンドによりＣＦカードの抜け止めをしたものである。
【０００７】
請求項２に係る携帯機器のＣＦカード抜け止め機構は、前記固定具がプラスチック製であるものである。
【０００８】
請求項３に係る携帯機器のＣＦカード抜け止め機構は、前記固定バンドがゴム製であるものである。
【発明の効果】
【０００９】
以上のようにこの発明の請求項１によれば、奥行寸法が標準サイズのＣＦカードを実装スロットに実装した場合には、固定具を固定具差込口に差し込み、固定具に一体に突出して設けられたロックバーを介して固定具を固定具差込口に対して回動して固定具の抜け出しを防止するとともに、ロックバーをＣＦカードの実装スロットからの露出端に当接させてＣＦカードを抜け止めし、また、奥行寸法が標準サイズより大きいＣＦカードを実装スロットに実装した場合には、固定具を固定具差込口に差し込み、ロックバーを介して固定具を固定具差込口に対して回動して固定具の抜け出しを防止するとともに、実装スロットから突出したＣＦカードの端部に固定バンドを掛け、その長さを調整して固定バンドによりＣＦカードの抜け止めをしており、ＣＦカードの形状や大きさが異なっても実装スロットからの抜け出しを防止することができる。又、固定具のロックバーの当接や固定バンドの掛けによりＣＦカードの抜け出しを防止しており、抜け出し防止の信頼性を高めることができる。さらに、固定具や固定バンドは小形であり、スペースを要さない。又、雄ねじ等を用いずに、固定具の差し込み、当接や固定バンドの掛けによりＣＦカードの抜け出しを防止するので、抜け止め機構の設置作業性が良い。
【００１０】
請求項２によれば、固定具をプラスチック製としており、安価に製作することができる。
【００１１】
請求項３によれば、固定バンドをゴム製としており、安価に製作することができる。
【発明を実施するための最良の形態】
【００１２】
以下、この発明を実施するための最良の形態を図面とともに説明する。図３はこの発明の実施形態による携帯機器１７の斜視図であり、携帯機器１７は本体部１８の底部に底部カバー１９が着脱自在に取り付けられている。実装可能なＣＦカードとしては、図７（ａ）〜（ｄ）に示したような種々のものがあり、ケーブル１６が接続されたものもある。又、図４は実施形態による携帯機器１７の分解斜視図を示し、本体部１８の底部カバー１９側端部にはパネル２０が設けられ、パネル２０にはＣＦカード１０等の各種のＣＦカードを実装可能なＣＦカード実装スロット２１が設けられ、ＣＦカード実装スロット２１の一方の側部近傍には固定具２５を差し込むための固定具差込口２２及びＤＣ  ＩＮコネクタの差込口２３が設けられ、ＣＦカード実装スロット２１の他方の側部近傍にはゴム製の固定バンド２４の一端が取り付けられている。固定バンド２４の他端はプラスチック製の固定具２５に折り返し構造で長さ調整可能に接続されている。固定具２５にはロックバー２５ａが一体に突出して設けられ、このロックバー２５ａにより固定具２５を固定具差込口２２に対して回動させることで固定具２５が固定具差込口２２から抜けなくなる。固定具差込口２２、固定バンド２４及び固定具２５等によりＣＦカードの抜け止め機構が構成される。
【００１３】
次に、携帯機器１７の本体部１８に標準奥行きサイズのタイプ１のＣＦカード１０を実装する場合の抜け止めについて図１（ａ），（ｂ）及び図２により説明する。図１（ａ）はこの実施形態によるＣＦカードの抜け止め状態にある携帯機器１７の本体部１８の一部省略斜視図を示し、図１（ｂ）はその要部拡大図、図２は携帯機器１７の本体部１８の斜視図を示す。まず、ＣＦカード１０をＣＦカード実装スロット２１に実装した後、固定具２５を固定具差込口２２に差し込み、ロックバー２５ａを介して固定具２５全体を固定具差込口２２に対して回動させ、固定具２５が固定具差込口２２から抜け出せないようにする。即ち、図２に示すように固定具２５はそのロックバー２５ａを介して「ＵＮＬＯＣＫ」の位置から矢印２６の方向に１５度以上回動させると、固定具２５は固定具差込口２２から抜け出せなくなる。このとき、図１に示すように固定具２５を大きく回動させ、そのロックバー２５ａをＣＦカード１０の実装スロット２１から露出した端部の位置に位置させ、ＣＦカード１０の露出端に当接させることで、ＣＦカード１０の実装スロット２１からの抜け出しを防止する。ロックバー２５ａをＣＦカード１０の露出端に当接する位置まで回動すると、ロックバー２５ａは軽くラッチされ、その回動位置に固定される。ＣＦカードにコネクタ１６等がある場合でも、ＣＦカードの露出端にロックバー２５ａを当接させて押さえているので、その抜け出しを確実に防止することができる。
【００１４】
次に、実装スロット２１に拡張部１２ａがあるＣＦカード１２を実装した場合のＣＦカード１２の抜け止めについて図５（ａ），（ｂ）により説明する。まず、図５（ａ）に示すようにＣＦカード１２を実装スロット２１に実装する。ＣＦカード１２は拡張部１２ａを有し、奥行方向の長さが標準より長いので、実装スロット２１から大きく突出した状態で実装される。その後、図５（ｂ）に示すように、固定具２５を固定具差込口２２に差し込み、ロックバー２５ａを介して固定具２５を固定具差込口２２に対して回動させて固定具２５の抜け出しを防止するとともに、実装スロット２１から大きく突出したＣＦカード１２の突出端に固定バンド２４を掛け、固定バンド２４の長さを調整して、固定バンド２４によりＣＦカード１２の端部を押さえ、その抜け出しを防止する。ＤＣ  ＩＮコネクタがその差込口２３に実装される場合には、ＤＣ  ＩＮコネクタが実装される前にロックバー２５ａを実装後のＤＣ  ＩＮコネクタと干渉しない位置まで回動しておく。
【００１５】
前記した実施形態においては、標準奥行サイズのＣＦカード１０，１１を実装スロット２１に実装した場合には、固定具２５を固定具差込口２２に差し込んだ後、そのロックバー２５ａを介して固定具２５を固定具差込口２２に対して回動して固定具２５の固定具差込口２３からの抜け出しを防止するとともに、ロックバー２５ａをＣＦカード１０，１１の実装スロット２１からの露出端に当接させ、ＣＦカード１０，１１の抜け出しを防止する。コネクタ１６等を有するＣＦカード１３の場合も奥行サイズが標準寸法であれば、同様にして抜け出しを防止することができる。又、拡張部１２ａを有し、奥行寸法が標準より長いＣＦカード１２の場合には、固定具２５を固定具差込口２２に差し込み、そのロックバー２５ａを介して固定具２５を固定具差込口２２に対して回動させて固定具２５の抜け出しを防止するとともに、実装スロット２１からの突出長さが長いので、その突出端に固定バンド２４を掛け、その長さを調整して、固定バンド２４によりＣＦカード１２の端部を押さえ、ＣＦカード１２の抜け止めを行う。従って、ＣＦカードの形状や大きさが異なってもその実装スロット２１からの抜け出しを防止することができるとともに、ロックバー２５ａの当接や固定バンド２４の押さえによりＣＦカードの抜け出しを防止しており、抜け出し防止の信頼性を高めることができる。又、固定具２５や固定バンド２４は小形なものであるので、スペースを要さず、しかもプラスチックやゴムにより形成されて安価であり、さらに単なる固定具２５の差し込みや固定バンド２４の押さえによりＣＦカードの抜け出しを防止するので、抜け止め機構の設置作業性が良い。
【図面の簡単な説明】
【００１６】
【図１】この発明の実施形態による奥行寸法が標準サイズのＣＦカードを実装した携帯機器の本体部の一部省略斜視図及びその要部拡大図である。
【図２】実施形態による奥行寸法が標準サイズのＣＦカードを実装した携帯機器の本体部の斜視図である。
【図３】実施形態による携帯機器の斜視図である。
【図４】実施形態による携帯機器の分解斜視図である。
【図５】実施形態による奥行寸法が標準サイズより大きいＣＦカードを実装した携帯機器の本体部のＣＦカードを実装した状態及び固定バンド及び固定具を装着した状態の一部省略斜視図である。
【図６】従来の携帯機器のＣＦカード抜け止め機構の説明図である。
【図７】各種のＣＦカードの斜視図である。
【符号の説明】
【００１７】
１０〜１３…ＣＦカード
１７…携帯機器
２０…パネル
２１…ＣＦカード実装スロット
２２…固定具差込口
２４…固定バンド
２５…固定具
２５ａ…ロックバー
【図１】
2010049948.tif 000003
【図２】
2010049948.tif 000004
【図３】
2010049948.tif 000005
【図４】
2010049948.tif 000006
【図５】
2010049948.tif 000007
【図６】
2010049948.tif 000008
【図７】
2010049948.tif 000009